(57)【要約】      （修正有）【課題】警報光が被警報者に確実に見え、警報音や警報振動が被警報者に伝達されやすいガス警報装置を提供する。【解決手段】ガス警報装置２の筺体１０の警報面１２にガス取込孔２２が設けられ、警報面１２の一長辺に近い位置に発光装置３０が設けられている。このガス警報装置２を、ヘルメットの目庇に取り付けて被警報者が頭部に装着する際に、ガス警報装置２の、警報面１２が下を向き、発光装置３０が目庇の先端に位置するようにし、筺体１０内のガス検出装置によって、ガス取込孔２２から取り込まれた気体中の検出対象ガスの濃度を測定し、発光装置３０に警報光を放出させると、被警報者は、警報光を見ることができる。【選択図】図２
2014225090.tif 000002
【特許請求の範囲】
【請求項１】
被警報者に携行され、前記被警報者の周囲雰囲気中の検出対象ガスの濃度を検出するガス検出装置を有し、検出された濃度を示す検出結果が、予め設定されている基準濃度と比較して、比較結果に基づいた警報が出力されるガス警報装置であって、
前記ガス警報装置には、警報音を鳴らすブザーと、警報振動を発生させ、前記ガス警報装置の筺体を振動させる振動装置とが設けられ、
前記筺体の一面である装着面は、被警報者が着帽する頭部装着物の目庇の床面と対面する底面に取り付けられ、
前記装着面とは反対側の面である警報面の、前記目庇を正面にして前記頭部装着物を着帽した前記被警報者が視認できる場所に、警報光を放出する発光装置が設けられ、
前記警報音と前記警報光と前期警報振動とのいずれか一以上が、前記警報として出力されるガス警報装置。
【請求項２】
前記発光装置は、少なくとも赤色を含む複数の色の前記警報光を放出可能にされた請求項１記載のガス警報装置。
【請求項３】
前記ガス警報装置が前記目庇に取り付けられたときに、前記発光装置は、前記目庇の根本よりも先端に近い場所に位置するようにされた請求項１又は請求項２のいずれか１項記載のガス警報装置。
【請求項４】
前記発光装置は、前記頭部装着物を着帽した前記被警報者の右眼よりも左眼に近い位置に配置された左方発光装置と、前記左眼よりも前記右眼に近い位置に配置された右方発光装置とのうち、少なくとも一方を発光体として有する請求項１乃至請求項３のいずれか１項記載のガス警報装置。
【請求項５】
前記筺体は、板状で長手方向を有し、
前記筺体の中心を通り、前記長手方向とは垂直で前記警報面内の中心軸線と前記発光体との間の距離が、２．４ｃｍ以上６．９ｃｍ以下の範囲にされた請求項１乃至請求項４のいずれか１項記載のガス警報装置。
【発明の詳細な説明】
【技術分野】
【０００１】
本発明は、ガス警報装置に関する。特に、騒音の多い作業現場で被警報者が作業に集中しているときでも、被警報者に確実に警報を伝えることのできるガス警報装置に関する。
【背景技術】
【０００２】
人体に有毒なガスを検出して警報を発生させるガス警報装置は広く用いられており、工場、作業場、地下室等に設置されたガス警報装置や、被警報者が携帯する携帯型のガス警報装置がある。
携帯型のガス警報装置では、ガス警報装置を携帯する被警報者の周囲の雰囲気から有毒ガスの濃度を検出し、基準となる濃度の値と比較して、比較結果によって、光、音、又は振動を警報として出力するガス警報装置が主流である。
【０００３】
しかし、ガス警報装置を着衣のポケット内に収納した状態では、ガス警報装置が発光した光が見えず、また、振動も被警報者に伝わりにくいという問題がある。
ガス警報装置をヘルメットの帽体部分に取り付けて、主として振動や音で被警報者に警報を出力するものもあるが、騒音が大きい場所では音による警報が聞こえず、また、振動だけでは、警報の重要度に差を付けて出力することが困難であるという問題がある。
【０００４】
特に、ガス警報装置では、退避、避難のことを考慮すると、被警報者の周囲雰囲気中の有毒ガス濃度が、危険な水準に達する前に、注意を促す警報を出力することが望ましいため、被警報者が、出力された警報の重要度を理解できるガス警報装置が求められている。
また、被警報者が警報が出力されていることを確実に知覚できるようにするため、被警報者が発光を視認できるガス警報装置が求められている。
【先行技術文献】
【特許文献】
【０００５】
【特許文献１】特開２００９−１６７５８７号公報
【特許文献２】特開２００７−１５４３６５号公報
【特許文献３】特表２００８−５１００８１号公報
【特許文献４】実登第３０１９８０７号
【特許文献５】実開平７-６８８８号公報
【特許文献６】特開２００７−１９３７７３号公報
【特許文献７】特開２００８−１７６４５７号公報
【特許文献８】特許第４９７０００１号
【発明の概要】
【発明が解決しようとする課題】
【０００６】
本発明は上記従来技術の不都合を解決するために創作されたものであり、その目的は、被警報者が視認できる発光による警報を出力することができ、また、被警報者が、出力された警報の水準を知覚できるガス警報装置を提供することにある。
【課題を解決するための手段】
【０００７】
上記課題を解決するために本発明は、被警報者に携行され、前記被警報者の周囲雰囲気中の検出対象ガスの濃度を検出するガス検出装置を有し、検出された濃度を示す検出結果が、予め設定されている基準濃度と比較して、比較結果に基づいた警報が出力されるガス警報装置であって、前記ガス警報装置には、警報音を鳴らすブザーと、警報振動を発生させ、前記ガス警報装置の筺体を振動させる振動装置とが設けられ、前記筺体の一面である装着面は、被警報者が着帽する頭部装着物の目庇の床面と対面する底面に取り付けられ、前記装着面とは反対側の面である警報面の、前記目庇を正面にして前記頭部装着物を着帽した前記被警報者が視認できる場所に、警報光を放出する発光装置が設けられ、前記警報音と前記警報光と前期警報振動とのいずれか一以上が、前記警報として出力されるガス警報装置である。
また、本発明は、前記発光装置は、少なくとも赤色を含む複数の色の前記警報光を放出可能にされたガス警報装置である。
また、本発明は、前記ガス警報装置が前記目庇に取り付けられたときに、前記発光装置は、前記目庇の根本よりも先端に近い場所に位置するようにされたガス警報装置である。
また、本発明は、前記発光装置は、前記頭部装着物を着帽した前記被警報者の右眼よりも左眼に近い位置に配置された左方発光装置と、前記左眼よりも前記右眼に近い位置に配置された右方発光装置とのうち、少なくとも一方を発光体として有するガス警報装置である。
また、本発明は、前記筺体は、板状で長手方向を有し、前記筺体の中心を通り、前記長手方向とは垂直で前記警報面内の中心軸線と前記発光体との間の距離が、２．４ｃｍ以上６．９ｃｍ以下の範囲にされたガス警報装置である。
【０００８】
前記警報面には、出力された前記警報の意味が表示される液晶表示装置を設けることができる。
また、前記筺体は、柔軟性を有し、屈曲可能な材料で構成され、前記装着面は、凸状に湾曲できるようにされたガス警報装置も本発明に含まれるし、また、前記筺体は、剛性を有し、内部を保護する材料で構成され、前記装着面は、凸状に湾曲されたガス警報装置も本発明に含まれる。
また、片面が接着面にされ、前記接着面とは反対側の面が互いに着脱可能な係合面にされた第一、第二の取付装置によって、前記第一又は第二のいずれか一方の取付装置の前記接着面には前記装着面が接着され、他方の取付装置の前記接着面には、前記目庇の前記底面が接着された後、前記第一、第二の取付装置の前記係合面同士が係合して、前記ガス警報装置が、前記頭部装着物に取り付けられるようにすることができる。
また、本発明のガス警報装置には、一又は複数の基準濃度が設定されており、検出対象ガスの濃度が複数の区分に区分けされており、検出結果が示す濃度の値が、所定の基準値よりも低い濃度範囲の区分に属するときは、赤色の警報光は発光されず、基準値以上の濃度範囲の区分に属するときに、赤色の警報光で発光すると、被警報者が危険性を認識することができる。
【発明の効果】
【０００９】
目庇に取り付けて、床面を向く警報面から発光装置の警報光が放出されるから、被警報者が発光を視認することができる。
警報光と、警報音と、警報振動を組み合わせて、ガス濃度を被警報者に知らせることができる。特に、発光装置が、被警報者が赤色と認識できる色の警報光を放出すると、被警報者の注意が警報光に向きやすいので、被警報者に危険な濃度に達したことを示す警報を伝達することができる。
【００１０】
また、警報振動と警報音とを、警報光に組み合わせて出力すると、被警報者には、異なる内容の警報が出力されていることが認識され、注意が警報に向けられやすくなる。
特に、警報の内容と検出されたガス濃度の値との関係を取り決めておくと、被警報者が警報から、検出された検出対象ガスの濃度を知ることができる。
【図面の簡単な説明】
【００１１】
【図１】本発明のガス警報装置を説明するための図(警報面)
【図２】本発明のガス警報装置を説明するための斜視図
【図３】本発明のガス警報装置を説明するための図（背面図）
【図４】本発明のガス警報装置を説明するための図（装着面)
【図５】（ａ）：頭部装着物の正面図  （ｂ）：その底面図
【図６】（ａ）：第一、第二の取付装置の平面図  （ｂ）：第一、第二の取付装置の断面図
【図７】装着面に第一の取付装置を貼付した状態を示す図
【図８】頭部装着物の目庇に第二の取り付け装置を貼付した状態を示す図
【図９】第一、第二の取付装置の係合状態を説明するための図
【図１０】頭部装着物の目庇にガス警報装置が装着された状態を示す図
【図１１】ガス警報装置が装着された頭部装着物を被警報者が着帽した状態を示す図
【図１２】ガス警報装置の装置回路のブロック図
【図１３】発光の中心位置の場所を説明するための図
【発明を実施するための形態】
【００１２】
以下、本発明の一例のガス警報装置２を、図面に基づいて説明する。
図１を参照し、本発明のガス警報装置２は、湾曲した平板状の筐体１０を有している。筺体１０は、六面を有しており、六面のうち、一面が警報面１２とされている。ここでは、図２、３に示すように、警報面１２は凹面にされている。
【００１３】
警報面１２は、長い二辺と短い二辺を有しており、長い二辺のうち、後述するようにガス警報装置２が目庇に取り付けられたときに、前方となる一辺の付近に、一乃至複数個の発光装置３０が設けられている。
【００１４】
ここでは、前方となる一辺に、切欠部３５1，３５2が設けられており、発光装置３０は、切欠部３５1，３５2の内部に配置された一乃至複数個のＬＥＤによって構成されている。切欠部３５1，３５2の表面は透明の窓部３４1，３４2で覆われており、ＬＥＤが点灯し、発光光が窓部３４1，３４2を通って放出されることで、発光装置３０が警報光をガス警報装置２の外部に放出するようになっている。
【００１５】
警報面１２には、ブザー孔３７が空けられており、ブザー孔３７の内側にはブザーが配置されている。ブザーが動作して警報音を鳴らすと、警報音は、ブザー孔３７を通って、ガス警報装置２の外部に放出される。
また、筐体１０の内部には振動装置が設けられており、振動装置が動作して振動すると、振動は筺体１０に伝達されて、筺体１０が警報振動するように構成されている。
【００１６】
また、警報面１２には、筺体１０を貫通するガス取込孔２２が設けられており、筺体１０の内部には、ガス取込孔２２に接続されたガス検出装置が設けられている。被警報者の周囲の気体はガス取込孔２２からガス検出装置に取り込まれる。
【００１７】
ガス検出装置は、一種又は複数種の検出対象ガスの濃度を検出できるように構成されており、ガス警報装置２が、検出対象ガスを含む雰囲気中に位置するときは、雰囲気中の検出対象ガスが含まれる気体は、ガス取込孔２２からガス検出装置に取り込まれて、雰囲気に含有された検出対象ガスの濃度が検出される。
【００１８】
なお、符号４１(図２)は、筺体１０内部に配置された充電池を充電するための端子である。
図１２は、ガス警報装置２の装置回路６０のブロック図であり、充電池が供給する電力によって動作する。
【００１９】
装置回路６０は、主制御回路６１を有しており、ブザー３５と、発光装置３０と、振動装置３６とには、主制御回路６１が出力する制御信号が入力され、警報音と、警報光と、警報振動とを出力するようになっている。
【００２０】
警報音と、警報光と、警報振動とは、制御信号の内容により、出力強度や出力時間が変わり、また、警報音の鳴り方や、警報光の明滅の状態や色も変わる。又、警報振動の振動の仕方も変わるようになっている。
【００２１】
ガス検出装置２１が検出対象ガスの濃度を検出すると、検出された濃度を示す検出結果は、ガス検出装置２１から主制御回路６１に出力される。
主制御回路６１には、予め、一乃至複数の基準濃度が設定されており、検出対象ガスの濃度は、最小の基準濃度よりも小さい値の範囲である区分と、値が隣接する基準濃度の間の範囲である区分と、最大の基準濃度よりも大きい値の範囲である区分とに区分けされている。
【００２２】
本ガス警報装置２が出力する警報は、警報音、警報光、警報振動が含まれており、警報音、警報光、警報振動のうち、少なくともいずれか一つを異ならせることで、被警報者が互いに異なることを認識できる複数の警報を出力することができる。
【００２３】
各区分には、区分毎に被警報者が異なることを認識できる警報が対応付けて記憶されており、検出結果が基準濃度と比較されると、比較結果から、検出結果が示す検出濃度が属する区分が特定され、特定された区分に対応付けられた警報を出力するための制御信号が、ブザー３５と、発光装置３０と、振動装置３６とに出力され、検出濃度が属する区分に応じた内容の警報が被警報者に出力される。
【００２４】
次に、本発明のガス警報装置２の使用方法を説明する。
本発明のガス警報装置２は、図５(ａ)、(ｂ)に示すような、帽子やヘルメットなどの頭部装着物５０の目庇５２に装着して使用するようにされている。
【００２５】
この頭部装着物５０はヘルメットであり、金属製又はプラスチック製の帽体５１に、帽体５１と同じ材質の目庇５２が設けられており、一般に、ヘルメットの目庇５２は、目庇５２の両面のうち、被警報者が頭部装着物５０を装着したときに下方を向く底面５９は凹状で、上方を向く反対側の面６５が凸状の湾曲面になるように成型されている。
【００２６】
図３、４を参照し、筺体１０の六面のうち、警報面１２とは反対側の面は凸状の装着面１１にされており、凹状にされた目庇５２の底面５９と、装着面１１とが密着するようにされている。
【００２７】
図６(ａ)、(ｂ)の符号５４、５５は、ガス警報装置２を、頭部装着物５０の目庇５２に取り付けるための第一、第二の取付装置であり、同図(ａ)はその平面図、同図(ｂ)はその断面図である。
【００２８】
第一、第二の取付装置５４、５５は、柔軟性を有する基材フィルム５８を有しており、基材フィルム５８の片面には、接着剤層５７が設けられて接着面にされており、反対側の面には、係合シート５６が設けられている。
【００２９】
第一の取付装置５４の係合シート５６と、第二の取付装置５５の係合シート５６とは、互いに接触させて押圧すると二枚の係合シート５６は係合し、離間させるためには、係合している力よりも大きな力を必要とする。従って、第一、第二の取付装置５４、５５は、係合シート５６の係合力によって、密着して貼り合わされるようになっている。
【００３０】
係合力よりも大きな力を加え、係合した第一、第二の取付装置５４、５５を離間させた後、表面を接触して押圧すると、第一、第二の取付装置５４、５５の係合シート５６は、再度係合して貼り合わされるようになっており、第一、第二の取付装置５４、５５は、係合シート５６同士の着脱で、貼合わせと離間とを繰り返し行えるようになっている。
【００３１】
第一、第二の取付装置５４、５５は柔軟性を有しており、第一、第二の取付装置５４、５５の接着剤層５７のうち、一方の接着剤層５７を装着面１１(図４)に接触させて押圧し、他方の接着剤層５７を、目庇５２の底面５９に接触させて押圧すると、第一、第二の取付装置５４、５５は、接着剤層５７の接着力によって、ガス警報装置２と頭部装着物５０とにそれぞれ貼付される。
【００３２】
ここでは、図７に示すように、二枚の第一の取付装置５４が装着面１１に貼付されており、また、図８に示すように、二枚の第二の取付装置５５が目庇５２の底面５９に貼付されている。
【００３３】
図７、８の状態では、第一、第二の取付装置５４、５５は、係合シート５６がそれぞれ露出されており、ガス警報装置２は、発光装置３０1、３０2を目庇５２の先端側に向け、ガス警報装置２がなるべく目庇５２からはみ出ずにできるだけ発光装置３０1、３０2が目庇５２の先端側に位置するように、第一、第二の取付装置５４、５５の係合シート５６同士を接触させて押圧して係合シート５６同士を係合させ、図９に示すように、第一、第二の取付装置５４、５５を密着させてガス警報装置２を目庇５２に装着させる。
【００３４】
ガス警報装置２は、発光装置３０1、３０2が目庇５２の先端に位置した状態で、第一、第二の取付装置５４、５５を介して、目庇５２に固定されている。図１０は、その状態の頭部装着物５０とガス警報装置２である。
【００３５】
ガス警報装置２と第一の取付装置５４との間の接着力と、第一、第二の取付装置５４、５５の間の係合力と、第二の取付装置５５と目庇５２との間の接着力とは、ガス警報装置２(及び第一、第二の取付装置５４、５５)の重量を懸吊する力以上の大きさになっている。
【００３６】
接着剤層５７と目庇５２の底面５９との間の接着力や、接着剤層５７と装着面１１との間の接着力は、二枚の係合シート５６の係合力よりも大きくなっており、ガス警報装置２を把持して係合力よりも大きな力で目庇５２から取り外そうとすると、第一、第二の取付装置５４、５５は、一方はガス警報装置２に貼付され、他方は目庇５２に貼付された状態で、二枚の係合シート５６の間の係合が解除される。
【００３７】
図１１は、ガス警報装置２が目庇５２に装着された頭部装着物５０を被警報者１５が装着した状態であり、その状態では、ガス警報装置２の警報面１２は、鉛直下方を向いて露出されている。
【００３８】
警報面１２にはスイッチボタン４２が設けられており、被警報者１５がスイッチボタン４２を操作すると、筺体１０の内部に配置された充電池から、主制御回路６１や、ガス検出装置２１に電力が供給され、ガス警報装置２は、動作を開始し、常時又は一定の時間間隔で、被警報者１５の周囲の雰囲気の検出対象ガスの濃度が検出され、上述したように、測定濃度を示す検出結果が主制御回路６１で基準濃度と比較され、測定濃度が位置する区分が特定される。
【００３９】
発光装置３０は、少なくとも赤色を含む複数種類の色の警報光を出力できるようにされており、測定濃度が人体に無害な濃度の安全区分内であるときは、緑色の警報光が出力され、人体に危険な濃度ではないが、退避の選択を促す注意区分にあるときは、黄色の警報光が出力され、人体に有害で、退避しか選択が無い危険区分に在るときは、赤色の警報光が出力され、注意区分内でも、濃度範囲に差がある区分が含まれていると、低い濃度範囲の区分では警報光が長周期で明滅し、高い濃度範囲の区分では、警報光は短周期で明滅するように設定できる。
【００４０】
発光装置３０は、目庇５２の先端に位置しており、発光装置３０が出力する警報光は、被警報者１５の左眼と右眼の少なくともいずれか一方で視認される。従って、被警報者１５が警報光の状態と測定濃度との関係を予め認識していれば、被警報者１５が視認した警報光の状態から、周囲の雰囲気に含有される検出対象ガスの濃度を認識することができる。
【００４１】
警報音については、高い濃度範囲の区分では、その区分よりも低い濃度範囲の区分よりも音量が大きくなるように設定されており、また、断続的に音が出力される場合は、高濃度範囲の区分では短周期で、低濃度範囲の区分では長周期になる。
【００４２】
ガス警報装置２は、目庇５２に取り付けられており、被警報者１５の耳に近い場所に位置しており、また、ガス警報装置２が服などで覆われることは無いから、被警報者１５には、警報音が良く聞こえるようになっている。被警報者１５が、警報音の状態と、危険性との関係を予め認識していれば、被警報者１５の視点が下方を向き、発光装置３０が出力する警報光を視認しにくい場合であっても、注意を発光装置３０に向けられる。
【００４３】
警報振動についても、測定値が低濃度区分では発生せず、高濃度区分になると発生するようにしてもよいし、振動の強さが、低濃度区分では弱く、高濃度区分では低濃度区分よりも強くなるようにしてもよい。
【００４４】
ガス警報装置２は、帽体５１と目庇５２とが硬質の頭部装着物５０に装着されると、筺体１０の振動が、目庇５２と帽体５１とを振動させ、被警報者１５の頭部を刺激して、警報振動が出力されていることが被警報者１５に知覚されやすい。
【００４５】
ガス警報装置２の検出対象ガスは、ここでは、一酸化炭素である。本発明のガス警報装置２は、一酸化炭素の場合には、安全区分は３０ｐｐｍよりも小さい濃度範囲とし、注意区分は３０ｐｐｍ以上、５０ｐｐｍ未満の濃度範囲とし、危険区分は５０ｐｐｍ以上の区分とした上で、注意区分と危険区分内には複数の区分を設定している。
【００４６】
発光装置３０は、筐体１０の左右二箇所に取り付けられており、ガス警報装置２が取り付けられた頭部装着物５０を被警報者１５が着帽したときに、右眼に近い方を右方発光装置３０1、左眼に近い方を左方発光装置３０2とすると、両方の発光装置３０1、３０2を両目で見える位置に配置すると、警報光が認識しやすくなる。
【００４７】
警報光が認識されやすくなる条件を説明すると、図１３は、紙面上方を前方にして、被警報者１５を上方から見た図であり、被警報者１５の頭部４の両側に体躯５の肩の部分が見えている。
同図に示された交差する二直線７３1，７３2のうち、左方の直線７３1は、右眼で視認できる片眼視界の左方の限界を示しており、右方の直線７３2は、左眼で視認できる片眼視界の右方の限界を示しており、二直線７３1，７３2で挟まれた領域が、両眼で視認できる両眼視界である。被警報者１５が作業等に集中しておらず、注意力が周囲に及んでいるときには、二直線７３1，７３2の交差角度である両眼視界角度θ1は、一般に１２０°であると言われている。
【００４８】
右眼の左方限界の直線７３1は右眼を通り、左眼の右方限界の直線７３2は左眼を通るから、二直線７３1，７３2は顔面の前方に交点が位置することになるが、ここでは、顔面と交点の距離は無視し、両眼の間の中央位置Ａに交点があるものとして記載されている。
【００４９】
図１３の符号３１1，３１2は、右方発光装置３０1が発光して警報光を放出するときの発光の中心位置と、左方発光装置３０2が発光して警報光を放出するときの発光の中心位置であり、中心位置３１1又は３１2が二直線７３1，７３2で挟まれた両眼視界内に位置している場合には、右方発光装置３０1又は左方発光装置３０2のいずれかは、両眼で見えることになる。
図１３中、符号７２1、７２2は二箇所の中心位置３１1、３１2を結ぶ直線である。
【００５０】
顔面は鉛直になっているものとして顔面が位置する鉛直面を基準面とし、発光の中心位置３１1、３１2と基準面との間の距離は、目庇５２の根元から先端までの目庇長さＬ1に等しいものとすると、市販のヘルメットの形状では、目庇長さＬ1は典型的には５ｃｍであることが分かっている。
従って、発光の中心位置３１1、３１2は、交点が位置する中央位置Ａを通り、基準面に対して垂直な基準直線７４からの距離Ｘ1は、約８．６６(＝5×tan(60°))ｃｍとなり、従って、８．６ｃｍ以下であれば、その中心位置３１1、３１2は、両眼視界の内部に位置することになる。
【００５１】
他方、市販のヘルメットの形状を調査すると、目庇長さＬ2が４．０ｃｍの小型のヘルメットも販売されていることが分かっており、そのヘルメットの目庇５２にガス警報装置２を取り付けた場合は、中心位置３１1又は３１2と基準直線７４との間の距離が８．６ｃｍであると、中心位置３１1又は３１2は、二直線７３1，７３2で挟まれた両眼視界の範囲外に位置することになる。
【００５２】
従って、小型のヘルメットでも中心位置３１1又は３１2が両眼視界内に位置するためには、中心位置３１1又は３１2と基準直線７４との間の距離Ｘ2は、約６．９２(＝4×tan(60°))ｃｍであり、６．９ｃｍ以下であればよいことになる。
【００５３】
従って、本発明のガス警報装置２では、右方発光装置３０1又は左方発光装置３０2の発光のいずれかの中心位置３１1又は３１2と基準直線７４との間の距離は、少なくとも一方が６．９ｃｍ以下であれば、少なくとも、その一方が両眼視界内に位置しており、両方の中心位置３１1、３１2と基準直線７４との間の距離が、両方とも６．９ｃｍ以下であれば、両方の発光装置３０1、３０2が両眼視界内に位置することになる。
【００５４】
他方、被警報者１５が作業等に集中していて、周囲に注意力が及ばないときには、両眼視界角度θ1は５０°程度に狭まるものと言われている。
この状態で両眼視界内に中心位置３１1、３１2が位置すると作業の邪魔になる。従って、中心位置３１1、３１2は集中したときの両眼視界の外側に位置することが望ましいので、５ｃｍの目庇長さＬ1を考慮すると、中心位置３１1、３１2と基準直線７４との間の距離は約２．３３(＝5×tan(25°))ｃｍであるから、２．４ｃｍ以上であることが望ましい。
従って、中心位置３１1、３１2と基準直線７４との間の距離は、２．４ｃｍ以上６．９ｃｍ以下であればよい。
【００５５】
図１１から分かるように、ガス警報装置２を目庇５２に取り付けたときは、中心位置３１1、３１2は両眼の中心が位置する水平面よりも上方に位置するが、高さの差は小さいので高さの差を無視すると、筺体１０の中央を通り、長手方向３３と垂直な中心軸線３８が、基準直線７４と一致するから、中心位置３１1、３１2が中心軸線３８から２．４ｃｍ以上６．９ｃｍ以下の範囲に位置するように、右方発光装置３０1と左方発光装置３０2を筺体１０に設ければよい。
【００５６】
なお、ブザー孔３７とスイッチボタン４２とガス取込孔２２とは、警報面１２に設けられていたが、警報面１２でなくても、装着面１１以外の他の面に設けられても良い。
また、ここでは、被警報者１５が、警報を認識したときは、スイッチボタン４２を所定時間押圧することにより、警報音と警報振動との発生を停止させることができるようにされている。
【００５７】
また、警報面１２には、液晶表示装置４５が設けられており、主制御回路６１は、例えば、ガス検出装置２１から入力された検出結果を液晶表示装置４５に表示することができる。被警報者１５は、警報を認識したときは、頭部装着物５０からガス警報装置２を取り外し、液晶表示装置４５に表示された内容を確認することによって、周囲雰囲気のより詳しい状況を知ることができるようにされている。
【００５８】
液晶表示装置４５は、必ずしもガス警報装置２に設けなくてもよく、例えば、充電用の端子４１をコンピュータとの間でデータを入出力する端子と兼用させ、測定値の履歴等のデータを、有線によるデータ通信によってコンピュータに送信し、又は、ガス警報装置２に無線送受信機を設けておき、無線通信でコンピュータに接続された無線送受信装置に送信し、送信内容をコンピュータに接続された表示装置に表示するようにしてもよい。
【００５９】
また、ここでは、第一の取付装置５４と第二の取付装置５５とによって、ガス警報装置２を頭部装着物５０に装着したが、ガス警報装置２を頭部装着物５０に固定することができれば、他の方法であっても良く、例えば、クリップ等で、頭部装着物５０の目庇５２とガス警報装置２とを一緒に挟むことによって固定しても良い。
【００６０】
また、上述したガス警報装置２の筺体１０は剛性を有していたが、筺体１０と、筺体１０内の基板等を柔軟性を有する材料で構成させ、ガス警報装置が柔軟性を有するようにしてもよい。この場合、目庇５２に取り付けやすくなる。
【符号の説明】
【００６１】
２……ガス警報装置
１０……筐体
１１……装着面
１２……警報面
２１……ガス検出装置
２２……ガス取込孔
３０……発光装置
３０1……右方発光装置
３０2……左方発光装置
３５……ブザー
３６……振動装置
５０……頭部装着物
５１……帽体
５２……目庇
５４……第一の取付装置
５５……第二の取付装置
４５……液晶表示装置
【図１】
2014225090.tif 000003
【図２】
2014225090.tif 000004
【図３】
2014225090.tif 000005
【図４】
2014225090.tif 000006
【図５】
2014225090.tif 000007
【図６】
2014225090.tif 000008
【図７】
2014225090.tif 000009
【図８】
2014225090.tif 000010
【図９】
2014225090.tif 000011
【図１０】
2014225090.tif 000012
【図１１】
2014225090.tif 000013
【図１２】
2014225090.tif 000014
【図１３】
2014225090.tif 000015